Podtech/llm-jp-corpus-v4-ja_patent huggingface dataset:
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
ヒートシンクである多角形セルのセル構造と、前記セル構造により冷却されるように構成された光源であって、前記セル構造は幾つかの壁要素を有する、光源と、を有する照明装置において、前記光源は、各セルに１つずつ、前記セルのうちの少なくとも幾つかに配置され、前記光源を含む各セルは、互いに電気的に絶縁された少なくとも２つの壁要素により形成され、前記光源は前記セル構造に装着され、前記光源は少なくとも２つの壁要素に電気的に接続され、前記セル構造は前記光源に電力を供給するように構成されたことを特徴とする、照明装置。
【請求項２】
前記壁要素はストリップ型であり、前記多角形セルを形成するように屈曲された、請求項１に記載の照明装置。
【請求項３】
前記壁要素は、電気的に相互接続されて群を構成し、各群は共通の電源供給端子を持つ、請求項１又は２に記載の照明装置。
【請求項４】
相互接続部材を有し、各相互接続部材は隣接する壁部材を電気的に相互接続する、請求項１乃至３のいずれか一項に記載の照明装置。
【請求項５】
各光源は、組み合わせられた熱的及び電気的に伝導性の接続部により前記セル構造に装着される、請求項１乃至４のいずれか一項に記載の照明装置。
【請求項６】
多角形セルのセル構造としてヒートシンクを備えるステップであって、前記セル構造は幾つかの壁要素を有する、ステップと、
前記ヒートシンクに熱的に接触した光源を備えるステップと、
を有する、照明装置を製造する方法において、
前記セルのうち少なくとも幾つかにおいて、各セルに１つの光源を配置するステップであって、前記セルは、互いに電気的に絶縁された少なくとも２つの壁要素により形成されている、ステップと、
前記光源を前記セル構造に装着するステップと、
前記光源を前記セル構造に電気的に接続するステップと、
前記セル構造に電源供給端子を備えるステップと、
を有することを特徴とする方法。
【請求項７】
前記ヒートシンクを備えるステップは、
互いに積層させて金属箔の層を配置し、これら層の間に絶縁性の接着剤の平行な線を配することにより、ヒートシンクの基部を備えるステップと、
前記ヒートシンクの基部の基部ストリップを切断するステップと、
基部ストリップの平行な非接着部を互いから離隔させ、それによりセル構造を形成するステップと、
を有する、請求項６に記載の方法。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
前面開放式ウエハ容器であって、
前面開口部を有する容器部分と、
複数のＶ字形のウエハ係合部を含むウエハクッションを有する前記容器部分の前面開口部に動作可能に係合するための前扉であって、各Ｖ字形のウエハ係合部が、ウエハを着座させるための、頂点において集束する溝を画定する上部脚と下部脚とを含み、前記下部脚が、様々な傾斜角を有する複数の内側に向いた表面部分を提供する、前扉と、
を含む、前面開放式ウエハ容器。
【請求項２】
前記複数の内側に向いた表面部分が、前記頂点の近位の第１の表面部分と、前記頂点の遠位の第２の表面部分とを含み、前記第１の表面部分が、前記第２の表面部分よりも、水平面からより浅い傾斜の角度で配置されている、請求項１に記載の前面開放式ウエハ容器。
【請求項３】
水平面に対する前記第１の表面部分の傾斜の角度が３０度以下である、請求項２に記載の前面開放式ウエハ容器。
【請求項４】
水平面に対する前記第１の表面部分の第２の傾斜の角度が５０度未満である、請求項３に記載の前面開放式ウエハ容器。
【請求項５】
水平面に対する前記第１の表面部分の第２の傾斜の角度が４５度〜５０度である、請求項３に記載の前面開放式ウエハ容器。
【請求項６】
前記ウエハ容器が４５０ｍｍ径ウエハを支持するための大きさに作られている、請求項２に記載の前面開放式ウエハ容器。
【請求項７】
前記下部脚が前記上部脚よりも少なくとも２０％長い、請求項２に記載の前面開放式ウエハ容器。
【請求項８】
前記下部脚が前記上部脚よりも少なくとも３０％長い、請求項２に記載の前面開放式ウエハ容器。
【請求項９】
前記下部脚が前記上部脚よりも少なくとも４０％長い、請求項２に記載の前面開放式ウエハ容器。
【請求項１０】
前記下部脚が前記上部脚よりも少なくとも６０％長い、請求項２に記載の前面開放式ウエハ容器。
【請求項１１】
様々な傾斜角を有する前記複数の内側に向いた表面部分が、前記頂点を基準として遠位部と近位部とを有し、前記遠位部および前記近位部が不定の移行位置を有し、水平面に対する前記近位部の平均表面角度よりも大きな、水平面に対する前記遠位部の平均表面角度を画定する、請求項１に記載の前面開放式ウエハ容器。
【請求項１２】
様々な傾斜角を有する前記複数の内側に向いた表面部分が、前記頂点を基準として遠位部と近位部とを有し、前記遠位部および前記近位部が不定の移行位置を有し、水平面に対する、前記近位部の離れた箇所における表面角度よりも大きな、水平面に対する、前記遠位部の離れた箇所における表面角度を画定する、請求項１に記載の前面開放式ウエハ容器。
【請求項１３】
ウエハ容器のためのウエハクッションであって、
Ｖ字形の溝を提供する複数のウエハ係合構造であって、各Ｖ字形の溝が、互いに集束する上部脚と下部脚とによって画定される頂点を含む内部部分を有し、前記下部脚が、前記頂点を基準として、近位ウエハ係合面と、遠位ウエハ係合面とを有し、前記近位ウエハ係合面が、前記遠位ウエハ係合面の、水平面に対する第２の鋭角より小さな、水平面に対する第１の鋭角において配置されている、複数のウエハ係合構造を含む、ウエハ容器のためのウエハクッション。
【請求項１４】
前記近位ウエハ係合面と前記遠位ウエハ係合面とが不定の移行部において集束する、請求項１３に記載のウエハクッション。
【請求項１５】
前面開放式ウエハ容器内に位置するたるんだウエハを着座させる方法であって、
内部面と外部面とを有するウエハ容器扉を操作するステップであって、前記内部面が、互いに対して異なる角度で配置された近位表面と遠位表面とを含む下部脚をそれぞれが有する複数のＶ字形部材を含むウエハクッションを備える、ステップと、
前記容器内のウエハを前記ウエハクッションの下部脚の遠位表面に接触させるために、前記容器扉を前記ウエハ容器の前面開口部内に位置合わせするステップと、
前記ウエハを前記下部脚の遠位表面および前記下部脚の近位表面上から着座位置までずり上げるために前記容器扉を挿入するステップと、
を含む、方法。
【請求項１６】
前記下部脚の前記近位表面が、前記下部脚の遠位表面の水平面に対する角度よりも、水平面に対してより浅い角度を有する、請求項１５に記載の着座方法。
【手続補正２】
【補正対象書類名】明細書
【補正対象項目名】発明の名称
【補正方法】変更
【補正の内容】
【発明の名称】前面開放式ウエハ容器、ウエハ容器のためのウエハクッションおよび前面開放式ウエハ容器内に位置するウエハを着座させる方法
【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその塩：
【化１】
2013540712.tif 000001
（式中：
Ａは、ピリジン−２−イル、ピリジン−３−イル、ピリダジン−３−イル、ピリダジン−４−イル、ピリミジン−５−イル、１，３−オキサゾール−２−イル、１Ｈ−ピラゾール−４−イルまたはイソオキサゾール−４−イルまたは式（ａ）の基（＊は結合点を表す）：
【化２】
2013540712.tif 000002
を表し、
ここで、Ａがピリジン−３−イルを表す場合、ピリジニル環は、２位でフルオロ、メトキシまたはＣＨ２ＯＨにより、４位でメチルまたはＣＨ２ＯＨにより、または５位でフルオロによって置換されていてもよく；Ａが１Ｈ−ピラゾール−４−イルを表す場合、ピラゾリル環は、１位でメチルによって置換されていてもよく、Ａがイソオキサゾール−４−イルを表す場合、イソオキサゾリル環は、３位でメチルにより、または５位でメチルによって置換されていてもよく；
Ｒ１およびＲ２は、ハロ、Ｃ１−３ハロアルキル、−（ＣＨ２）ｎＲ８、−（ＣＯ）Ｒ８、窒素含有ヘテロアリール環（メチルおよびトリフルオロメチルから選択される１、２または３個の基で置換されていてもよい）を独立に表し；
ｎは１、２または３を表し；
Ｒ３、Ｒ４、Ｒ５、Ｒ６およびＲ７は、水素、ハロ、ＣＮ、Ｃ１−３アルキルまたはＣ１−３アルコキシを独立に表し；
Ｒ８は、水素または−ＮＲ９Ｒ１０を表し；Ｒ９およびＲ１０は、水素およびＣ１−３アルキルから独立に選択され、前記Ｃ１−３アルキル基は、１、２もしくは３個のハロ、ヒドロキシ、シアノもしくはＣ１−２アルコキシ基で置換されていてもよく、あるいは、共にそれらが結合している窒素原子と一緒になって窒素含有モノヘテロ環式環を形成し、その環は、ハロ、メチルおよびトリフルオロメチルから選択される１、２もしくは３個の基で置換されていてもよく；
Ｒ１１は水素、ハロ、ＣＮ、Ｃ１−２アルキル、Ｃ１−２アルコキシ、−ＣＨ２ＣＯ２Ｈまたは−ＣＯＮＨＣＨ３を表す）。
【請求項２】
Ａがピリジン−３−イル、ピリダジン−４−イル、１Ｈ−ピラゾール−４−イルまたはイソオキサゾール−４−イルを表し、Ａがピリジン−３−イルを表す場合、ピリジニル環は２位でフルオロにより置換されていてもよく、Ａが１Ｈ−ピラゾール−４−イルを表す場合、ピラゾリル環は１位でメチルにより置換されていてもよく、Ａがイソオキサゾール−４−イルを表す場合、イソオキサゾリル環は３位でメチルによりまたは５位でメチルにより置換されていてもよい、請求項１に記載の化合物。
【請求項３】
Ａが式（ａ）の基を表し、Ｒ１１がＣｌまたはＦである、請求項１に記載の化合物。
【請求項４】
Ｒ１が４−モルホリニルカルボニルまたは４−モルホリニルメチルを表す、請求項１〜３のいずれか一項に記載の化合物。
【請求項５】
Ｒ２が４−モルホリニルメチルまたは４−モルホリニルカルボニルを表す、請求項１〜４のいずれか一項に記載の化合物。
【請求項６】
Ｒ２が１個のメチル基で置換されていてもよいピラゾール−４−イルを表す、請求項１〜４のいずれか一項に記載の化合物。
【請求項７】
Ｒ２が１−ピペリジニルカルボニルまたは１−ピペリジニルメチルを表す、請求項１〜４のいずれか一項に記載の化合物。
【請求項８】
Ｒ２が１個または複数のフルオロ基で置換されていてもよい１−ピロリジニルカルボニルを表す、請求項１〜４のいずれか一項に記載の化合物。
【請求項９】
Ｒ３、Ｒ４、Ｒ５、Ｒ６およびＲ７が、独立に水素またはフルオロである、請求項１〜８のいずれか一項に記載の化合物。
【請求項１０】
請求項１〜９のいずれか一項に記載の化合物または薬学的に許容されるその塩、および薬学的に許容される担体もしくは賦形剤を含んでなる、医薬組成物。
【請求項１１】
パーキンソン病の治療または予防のための、請求項１０に記載の医薬組成物。
【手続補正書】
【提出日】平成26年7月11日(2014.7.11)
【手続補正１】
【補正対象書類名】明細書
【補正対象項目名】０００７
【補正方法】変更
【補正の内容】
【０００７】
【特許文献１】韓国公開特許第１０−２０１０−２３３７２号
【特許文献２】米国特許出願公開第２０１０−２３３７２号明細書
【特許文献３】特開２００６−６２９９１号公報
【特許文献４】韓国公開特許第１０−２００４−５９００４号
【特許文献５】特開平８−１２５６６号公報
【手続補正２】
【補正対象書類名】明細書
【補正対象項目名】００１４
【補正方法】変更
【補正の内容】
【００１４】
コミカンソウ（Phyllanthus urinaria）は、真珠草又は珍珠草も呼ばれ、主に畑や草地で育つ。特許文献４には、珍珠草抽出物、尖尾芋抽出物及びこれらの混合物からなる群から選択された１種以上を有効成分として含有するメラニン生成抑制活性を有する植物抽出物を含有する皮膚美白用組成物が開示されている。また、特許文献５には、珍珠草抽出物（Phyllanthus niruri L.）、マチコ（Piper elongatum Vahl. & Piper ungustifolium）及び西洋イラクサ（Urtica urens）になる群から選択された１種又は２種以上を配合して含有するチロシナーゼ活性阻害剤が開示されている。
【手続補正３】
【補正対象書類名】特許請求の範囲
【補正対象項目名】全文
【補正方法】変更
【補正の内容】
【特許請求の範囲】
【請求項１】
コミカンソウ（Phyllanthus urinaria）抽出物及び抗老化ペプチドが内部に安定化されたポリマーソーム（polymersome）を有効成分として含有する皮膚弾力改善用化粧料組成物。
【請求項２】
前記抗老化ペプチドは、パルミトイルトリペプチド‐５（Palmitoyl Tripeptide‐5）又はジアミノプロピオノイルトリペプチド３３（Diaminopropionoyl Tripeptide‐33）であることを特徴とする、請求項１に記載の皮膚弾力改善用化粧料組成物。
【請求項３】
前記組成物は、ペルレカン（Perlecan）遺伝子の発現を増加させることにより、表皮と真皮の再生及び表皮と真皮の付着力向上を促進して、皮膚構造を維持させることを特徴とする、請求項１に記載の皮膚弾力改善用化粧料組成物。
【請求項４】
前記組成物は、ペルレカンタンパク質の生成を増加させることを特徴とする、請求項１に記載の皮膚弾力改善用化粧料組成物。
【請求項５】
前記組成物は、ＵＶによるペルレカンタンパク質の生成低下を回復させることを特徴とする、請求項１に記載の皮膚弾力改善用化粧料組成物。
【請求項６】
前記組成物は、皮膚のシワ改善、皮膚の弾力性回復、及び皮膚の水分含有量増大の効能を有することを特徴とする、請求項１に記載の皮膚弾力改善用化粧料組成物。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
合成された5E,9E,13E−ゲラニルゲラニルアセトンである化合物。
【請求項２】
5Z,9E,13E−ゲラニルゲラニルアセトンを含まない、請求項１記載の化合物。
【請求項３】
請求項１または２に記載の化合物および少なくとも１つの製薬的な添加物を含有する医薬組成物。
【請求項４】
製薬的な添加物が、α−トコフェロール、および場合により１またはそれ以上のヒドロキシプロピルセルロースおよびアラビアゴムの１またはそれ以上である、請求項３記載の組成物。 
【請求項５】
（ａ）ＡＤまたはＡＬＳに関連する病原性のタンパク質凝集体の発生のリスクのあるニューロンからの１またはそれ以上の神経伝達物質の発現および／または放出を増大するための；または
（ｂ）細胞外の病原性のタンパク質凝集体の発生のリスクのあるニューロンからの１またはそれ以上の神経伝達物質の発現および／または放出を増大するための、
タンパク質凝集を阻害する量の5E,9E,13E−ゲラニルゲラニルアセトンを含有してなる、請求項３または４記載の組成物。
【請求項６】
（ｉ）神経の損傷または神経の死の危険性のあるニューロンの神経保護、
（ｉｉ）ニューロンの軸索成長の増大、
（ｉｉｉ）神経細胞死になりやすいニューロンの細胞死の阻害、
（ｉｖ）ニューロンの神経突起成長の増大、または
（ｖ）ニューロンからの１またはそれ以上の神経伝達物質の発現および／または放出を増大することを含む神経刺激
のための、請求項３または４記載の組成物。
【請求項７】
前記ニューロンが、
（ｉ）軸索成長能の減少
（ｉｉ）１またはそれ以上の神経伝達物質の減少した発現レベル
（ｉｉｉ）シナプス形成の減少、及び
（ｉｖ）電気興奮性の減少
の１以上を示している、請求項６記載の組成物。
【請求項８】
前記神経刺激が、
（ｉ）ニューロンのシナプス形成の増大または誘導、
（ｉｉ）ニューロンの電気興奮性の増大または増強、
（ｉｉｉ）ニューロンにおけるＧタンパク質の活性の調節、
（ｉｖ）ニューロンにおけるＧタンパク質の活性化の増強
の１以上を含んでなる、請求項６記載の組成物。
【請求項９】
（ａ）認知症の危険性のあるまたは初期のまたは部分的な認知症を患っている哺乳類において、認知技能をいくらか保持しつつ、認知能力の損失を阻害するための、
（ｂ）ニューロン間、ニューロン外またはニューロン内での病原性のタンパク質凝集体の形成又はさらなる形成に起因するニューロンの死を阻害するための、但し、該病原性のタンパク質凝集がSBMAに関連するものでない、または
（ｃ）β−アミロイドペプチドの神経毒性を阻害するための、
請求項３または４記載の組成物。
【請求項１０】
病原性のタンパク質凝集がニューロン間、ニューロン外および／またはニューロン内である、またはβ−アミロイドペプチドがニューロン間またはニューロン外に存在するもしくはβ−アミロイド斑の一部である、請求項９記載の組成物。
【請求項１１】
神経疾患を患っている哺乳類において神経細胞死を阻害するおよび／または神経活性を増大するための請求項３または４記載の組成物であって、該神経疾患の病因がニューロンに対して病原性であるタンパク質凝集体の形成を含み、該組成物が、病原性のタンパク質凝集を阻害する量の5E,9E,13E−ゲラニルゲラニルアセトンを含んでなり、該病原性のタンパク質凝集が核内ではない、組成物。 
【請求項１２】
前記神経疾患がＡＬＳまたはＡＤである請求項１１記載の組成物。
【請求項１３】
前記量の5E,9E,13E−ゲラニルゲラニルアセトンが病原性のタンパク質凝集体を非病原性の形態に変えるか、または病原性のタンパク質凝集体の形成を防止する、請求項１１または１２記載の組成物。
【請求項１４】
哺乳類における発作中の神経細胞死を予防するための請求項３または４記載の組成物。
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
リウマチ性関節炎の治療で使用するための、式（Ｉ）の化合物又はその塩。
Ｒ−Ｌ−ＣＯ−Ｘ      （Ｉ）
（式中、Ｒは、Ｓ、Ｏ、Ｎ、ＳＯ、ＳＯ2から選ばれる１個以上のヘテロ原子又はヘテロ原子の群によって任意に割り込まれていてもよいＣ10-24不飽和炭化水素基であり、前記炭化水素基は、少なくとも４個の非共役二重結合を含み；
Ｌは、Ｒ基とカルボニルＣＯとの間に原子を１〜５個有する橋状結合を形成する連結基であり；
Ｘは、電子求引基である。）
【請求項２】
式（ＩＩ）の化合物又はその塩。
Ｒ−Ｌ１−ＣＯ−Ｘ      （ＩＩ）
（式中、Ｒ及びＸは、上に定義の通りであり；
Ｌ１は、Ｒ基とカルボニルＣＯとの間に原子を１〜５個有する橋状結合を形成する連結基であり、前記連結基の主鎖を形成する原子は炭素及び／又はヘテロ原子Ｎ、Ｏ、Ｓ、ＳＯ、ＳＯ2から選ばれたものであり；
ここで、連結基Ｌ１は、主鎖の内部に環を含むか又は直鎖であり、かつ、連結基の主鎖原子は（ＳＯ又はＳＯ2の任意のオキソ基のほかに）少なくとも１個の側鎖で置換されている。）
【請求項３】
式（ＩＶ）を有する請求項２に記載の化合物。
Ｒ−Ｙ３−Ｙ４−ＣＯ−Ｘ      （ＩＶ）
（式中、Ｒ及びＸは、上に定義の通りであり；
Ｙ３及びＹ４は、一緒になって５員又は６員の単素又は複素の、飽和、不飽和又は芳香性の環を形成するか；あるいは、
Ｙ３は、５員又は６員の単素又は複素の、飽和、不飽和又は芳香性の環を形成し、Ｙ４は（ＣＨ2）ｎであり；
ここでｎは、１〜３、好ましくは１である。）
【請求項４】
連結基が環を含む、先行する請求項のいずれかに記載の化合物。
【化１】
2013540713.tif 000001
Ｒ基及びカルボニルは、環上の任意の炭素原子又は利用可能な窒素原子に結合する。
【請求項５】
式（Ｖ）を有する、請求項２に記載の化合物。
ＲＮ（Ｃ1-6アルキル）（ＣＨ2）ｎＣＯＸ      （Ｖ）
（式中、Ｒ、ｎ及びＸは、上に定義の通りである。）、特に次の化合物：
【化２】
2013540713.tif 000002
【請求項６】
式（ＶＩ）又は（ＶＩＩ）を有する、請求項２に記載の化合物。
【化３】
2013540713.tif 000003
（式中、Ｒは、上に定義の通りであり、ｎは、１〜３、例えば１〜２である。）
【請求項７】
基Ｘが、ＣＮ、フェニル、ＣＨａｌ3、ＣＨａl2Ｈ、ＣＨａｌＨ2であり、Ｈａｌが、ハロゲン（例えばフッ素、塩素、臭素、又はヨウ素、好ましくはフッ素）を表す、先行する請求項のいずれかに記載の化合物。
【請求項８】
基ＸがＣＦ3である、先行する請求項のいずれかに記載の化合物。
【請求項９】
Ｌ又はＬ１基が、特にカルボニルに対してβ位に、Ｓ原子を含む、先行する請求項のいずれかに記載の化合物。
【請求項１０】
Ｒが、５個の非共役二重結合を含む、先行する請求項のいずれかに記載の化合物。
【請求項１１】
下記式を有する先行する請求項のいずれかに記載の化合物。
【化４】
2013540713.tif 000004
（式中、ＸはＣＦ3である。）
【請求項１２】
リウマチ性関節炎の治療用薬剤の製造に使用するための、請求項１〜１１のいずれか一項に記載の化合物の使用。
【請求項１３】
自己免疫疾患又は滑膜の慢性の炎症性の障害若しくは疾患の治療で使用するための、式（Ｉ）の化合物。
Ｒ−Ｌ−ＣＯ−Ｘ      （Ｉ）
（式中、Ｒは、Ｓ、Ｏ、Ｎ、ＳＯ、ＳＯ2から選ばれる１個以上のヘテロ原子又はヘテロ原子の群によって任意に割り込まれていてもよいＣ10-24不飽和炭化水素基であり、前記炭化水素基は、少なくとも４個の非共役二重結合を含み；
Ｌは、Ｒ基とカルボニルＣＯとの間に原子を１〜５個有する橋状結合を形成する連結基であり；Ｘは、電子求引基である。）
【手続補正書】
【提出日】平成26年9月4日(2014.9.4)
【手続補正１】
【補正対象書類名】明細書
【補正対象項目名】０００５
【補正方法】変更
【補正の内容】
【０００５】
ドイツ国特許第９３６２１１号（特許文献１）は、第一脂肪族アミンを製造するための液相プロセスを記載している。そのために、最初に、転化させるアルデヒドを、０℃を下回る温度でアンモニアと混合する。場合によっては、該アルデヒドを、低沸点アルコール、例えば、メタノールで希釈する。その後この混合物を、高められた温度及び高められた圧力で、アップフロー方式又はダウンフロー方式で、例えばコバルト触媒又はニッケル触媒により、触媒的に水素化される。
【手続補正２】
【補正対象書類名】明細書
【補正対象項目名】０００８
【補正方法】変更
【補正の内容】
【０００８】
米国特許出願第２００８／０２２７６３２Ａ１号（特許文献４）の方法によれば、活性金属として、ニッケル、銅及びクロム以外に追加の錫も含有する触媒の存在下で、アルコール、アルデヒド又はケトンの還元的アミノ化が行われる。錫の追加は、水素化された副生成物の形成を抑制するのに有利であることが判明している。この公知の方法は、一価又は多価アルコール、例えば、エチレングリコール、ジエチレングリコール又はトリエチレングリコールをアミノ化するのに特に適している。
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
心機能不全により損傷した心臓組織を修復または再生させるための組成物であって、１つ以上の挿入された幹細胞様因子を安定して発現する心臓細胞型または心室細胞型由来の心臓人工多能性幹細胞を含み、前記幹細胞様因子がＯｃｔ３／４、Ｋｌｆ４、Ｓｏｘ２およびｃ−Ｍｙｃまたはそのいずれかの組合せを含み、前記心臓細胞型または心室細胞型が心臓線維芽細胞、心筋芽細胞またはＨ９ｃ２心筋芽細胞である、組成物。
【請求項２】
前記心機能不全が心臓虚血／再かん流事象または先天的心臓欠損である、請求項１に記載の組成物。
【請求項３】
前記虚血／再かん流事象が、心筋梗塞、心筋虚血、心筋再かん流、心内膜下虚血、高安動脈炎、心房細動、出血性脳卒中、人工心肺が使用される心臓外科手術中に生じる虚血／再かん流事象、冠動脈バイパス形成中に生じる虚血／再かん流事象、または移植のための臓器保存中に生じる虚血／再かん流事象であり、前記先天性心臓欠損が成形不全またはカントレル五徴である、請求項２に記載の組成物。
【請求項４】
２回の等量の心筋内注射で投与する、請求項１に記載の組成物。
【請求項５】
梗塞周囲領域に投与する、請求項１に記載の組成物。
【請求項６】
前記心臓細胞または心室細胞は自家、同種異系または同一遺伝子型の供給源から得られたものである、請求項１に記載の組成物。
【請求項７】
前記幹細胞様因子Ｏｃｔ３／４およびＫｌｆ４のｃＤＮＡが、前記心臓細胞または心室細胞に挿入される際に個別のベクター内にある、請求項１に記載の組成物。
【請求項８】
前記幹細胞様因子が、終止コドンを有するＳｏｘ２配列に融合された同じ読み取り枠にあるＫｌｆ４−２Ａ配列とＯｃｔ−３／４配列とを含んでＯｃｔ−３／４−Ｋｌｆ４−２Ａ−Ｓｏｘ２ベクターを形成するベクターから発現される、請求項１に記載の組成物。
【請求項９】
前記ベクターが、ｐＣＸ−ＥＧＦＰベクターに挿入されたＯｃｔ−３／４−Ｋｌｆ４−２Ａ−Ｓｏｘ２配列を含む、請求項８に記載の組成物。
【請求項１０】
前記ベクター挿入されたｃ−Ｍｙｃ  ｃＤＮＡをさらに含む、請求項９に記載の組成物。
【請求項１１】
前記ベクターが、ｐＣＸ−ｃ−Ｍｙｃベクターに挿入されたＯｃｔ−３／４−Ｋｌｆ４−２Ａ−Ｓｏｘ２配列を含む、請求項８に記載の組成物。
【請求項１２】
ベクターがｐＢＳ−２Ａである、請求項７に記載の組成物。
【請求項１３】
少なくとも１つの幹細胞様因子を発現する安定したベクターを有する心臓細胞型または心室細胞型を含み、前記ベクターがＯｃｔ３／４、Ｋｌｆ４、Ｓｏｘ２またはｃ−Ｍｙｃのうちの少なくとも１つの配列を含む、心臓人工多能性幹細胞。
【請求項１４】
前記Ｋｌｆ４、Ｓｏｘ２およびＯｃｔ３／４の配列が、口蹄疫ウイルスの自己切断２Ａ配列を介して操作可能に結合されている、請求項１３に記載の幹細胞。
【請求項１５】
前記心臓細胞型または心室細胞型が、自家、同種異系または同一遺伝子型の供給源から得られたヒト細胞またはげっ歯類細胞であり、前記心臓細胞型または心室細胞型が心臓線維芽細胞、心筋芽細胞またはＨ９ｃ２心筋芽細胞である、請求項１３に記載の幹細胞。
【手続補正書】
【提出日】平成26年10月21日(2014.10.21)
【手続補正１】
【補正対象書類名】特許請求の範囲
【補正対象項目名】請求項１４
【補正方法】変更
【補正の内容】
【請求項１４】
がん治療薬であり、請求項１から１３のいずれかに記載の化合物又は薬学的に許容可能な誘導体、塩、若しくはプロドラッグを含む治療薬。
【手続補正２】
【補正対象書類名】特許請求の範囲
【補正対象項目名】請求項１５
【補正方法】変更
【補正の内容】
【請求項１５】
前記がんは結腸がん、非小細胞性肺がん、脳がん、又は乳がんである、請求項１４に記載の治療薬。
【手続補正３】
【補正対象書類名】特許請求の範囲
【補正対象項目名】請求項１６
【補正方法】変更
【補正の内容】
【請求項１６】
請求項１から１３のいずれかに記載の化合物又は薬学的に許容できるその塩、水和物、若しくはプロドラッグ、及び
薬学的に許容可能な担体、希釈剤、又は賦形剤を含む医薬組成物。
【手続補正４】
【補正対象書類名】明細書
【補正対象項目名】００６６
【補正方法】変更
【補正の内容】
【００６６】
「薬学的に許容できる誘導体」とは薬学的に許容できる塩、水和物、又はプロドラッグ、又は、被験者への投与の際に、式１の化合物又はその代謝産物又は残留物を、直接又は間接的に提供できる他の化合物であるどのようなものでも含む。
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
アシル化されたプロテアーゼ安定化インスリンであり、N末端修飾が、生理学的pHにおいて正に荷電している1つまたは複数のN末端修飾基によるものである、N末端修飾インスリン。
【請求項２】
ペプチド部、親油性置換基およびN末端修飾基からなる、請求項1に記載のN末端修飾インスリン。
【請求項３】
生理学的pHにおいて正に荷電している修飾基が、親インスリンのN末端とコンジュゲートしている、生理学的pHにおいて正に荷電しており、1モル当たり200g未満のMWを有している1つまたは2つの有機置換基である、請求項1または2に記載のN末端修飾インスリン。
【請求項４】
生理学的pHにおいて正に荷電している修飾基が、式I:
【化１】
2013540771.tif 000001
または、代替表示として:
【化２】
2013540771.tif 000002
(式中、YおよびZは、インスリンペプチドのN末端アミノ酸と接続している)中でYおよびZと指定される、請求項1から3のいずれか一項に記載のN末端修飾インスリン。
【請求項５】
アシル化されたプロテアーゼ安定化インスリンが、ペプチド部としてのプロテアーゼ安定化インスリンおよびペプチド部と接続している親油性置換基からなり、ペプチド部が、少なくとも1つの疎水性アミノ酸が親水性アミノ酸で置換されているように置換されているヒトインスリンであり、前記置換が、インスリンの1つまたは複数のプロテアーゼ切断部位内であるか近接している、請求項1から4のいずれか一項に記載のN末端修飾インスリン。
【請求項６】
アシル化インスリンであり、N末端修飾が、生理学的pHにおいて中性であるか負に荷電している1つまたは複数のN末端修飾基によるものである、N末端修飾インスリン。
【請求項７】
ペプチド部、親油性置換基およびN末端修飾基からなる、請求項6に記載のN末端修飾インスリン。
【請求項８】
生理学的pHにおいて中性であるか負に荷電している修飾基が、親インスリンのN末端とコンジュゲートしている、生理学的pHにおいて中性であるか負に荷電しており、1モル当たり200g未満のMWを有している1つまたは2つの有機置換基である、請求項6または7に記載のN末端修飾インスリン。
【請求項９】
N末端修飾が、カルバモイル、チオカルバモイル、C1〜4鎖アシル基、オキサリル、グルタリルおよびジグリコリルからなる群から選択される、請求項6から8のいずれか一項に記載のN末端修飾インスリン。
【請求項１０】
アシル化インスリンが、ペプチド部およびペプチド部と接続している親油性置換基からなり、ペプチド部が、ヒトインスリン、desB30ヒトインスリン、修飾が8個未満のヒトインスリンまたは修飾が8個未満のdesB30ヒトインスリンである、請求項6から9のいずれか一項に記載のN末端修飾インスリン。
【請求項１１】
1つまたは複数の脂質およびN末端修飾インスリンを含む経口医薬組成物。
【請求項１２】
N末端修飾インスリンが、ペプチド部、およびN末端修飾基からなる、請求項11に記載の経口医薬組成物。
【請求項１３】
N末端修飾インスリンが、ペプチド部、N末端修飾基および親油性置換基からなる、請求項11に記載の経口医薬組成物。
【請求項１４】
N末端修飾インスリン(a)、N末端修飾インスリンのための少なくとも1つの極性有機溶媒(b)、少なくとも1つの界面活性剤(c)、および少なくとも1つの親油性構成成分(d)を含む固体または半固体医薬組成物であり、自然に分散可能である、請求項11から13のいずれか一項に記載の経口医薬組成物。
【請求項１５】
少なくとも1つの固体親水性構成成分(e)をさらに含む、請求項14に記載の経口医薬組成物。
【請求項１６】
N末端修飾インスリン(a)、N末端修飾インスリンのための少なくとも1つの極性有機溶媒(b)、および少なくとも1つの親油性構成成分(c)を含む水を含まない液体医薬組成物であり、澄明な溶液の形態である、請求項11から13のいずれか一項に記載の経口医薬組成物。
【請求項１７】
少なくとも1つの界面活性剤(d)をさらに含む、請求項16に記載の経口医薬組成物。
【請求項１８】
N末端修飾インスリンが、ヒトインスリン、desB30ヒトインスリン、修飾が8個未満のヒトインスリンまたは修飾が8個未満のdesB30ヒトインスリンであるペプチド部を有する、請求項11から17のいずれか一項に記載の経口医薬組成物。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
眼血管疾患に苦しむまたは罹患しやすい患者を処置する医薬組成物であって、複数の用量の血管内皮細胞増殖因子受容体２（ＶＥＧＦ−Ｒ２）阻害剤またはその薬学的に許容される塩を含み、
（ａ）連続的な投与が少なくとも５日間あけて行われる；および
（ｂ）ＶＥＧＦ−Ｒ２阻害剤は、レーザー誘発血管新生モデルにおいて上記（ａ）で示される投与頻度によりラットに等用量で投与される場合に、プラシーボ対照に対して血管新生の領域を少なくとも約４０％減少させ、かつ投与７２時間後にラットにおいて約１０nM以下の血漿濃度を示す、
前記医薬組成物。
【請求項２】
眼血管疾患に苦しむまたは罹患しやすい患者を処置する医薬組成物であって、複数の用量の血管内皮細胞増殖因子受容体２（ＶＥＧＦ−Ｒ２）阻害剤またはその薬学的に許容される塩を含み、
（ａ）連続的な投与が少なくとも５日間開けて行われる；および
（ｂ）ＶＥＧＦ−Ｒ２阻害剤は、レーザー誘発血管新生モデルにおいて上記（ａ）に示される投与頻度によりラットに等用量で投与される場合に、プラシーボ対照に対して血管新生領域を少なくとも約４０％減少させ、かつラットにおいて投与後１〜５日の計測時に血漿への曝露の少なくとも５倍の後部眼杯への曝露を示す、
前記医薬組成物。
【請求項３】
眼血管疾患に苦しむまたは罹患しやすい患者を処置する医薬組成物であり、複数の用量の血管内皮細胞増殖因子受容体２（ＶＥＧＦ−Ｒ２）阻害剤またはその薬学的に許容される塩を含み、連続的な投与は少なくとも５日間あけて行われ、ＶＥＧＦ−Ｒ２阻害剤が
５−[[４−[（２，３−ジメチル−２Ｈ−インダゾール−６−イル）メチルアミノ]−２−ピリミジニル]アミノ]−２−メチルベンゾルスルホンアミド；
５−（（Ｓ）−６−メチル−５，６，７，８−テトラヒドロ−ピリド[３，４−ｄ]ピリミジン−４−イルオキシ）−インドール−１−カルボン酸[５−（１−メチル−シクロプロピル）−２Ｈ−ピラゾール−３−イル]−アミド；
６−（６−アミノ−ピリミジン−４−イルオキシ）−ナフタレン−１−カルボン酸（３−トリフルオロメチル−フェニル）−アミド；
（−）−５−（（Ｓ）−７−アセチル−６−メチル−５，６，７，８−テトラヒドロ−ピリド[３，４−ｄ]ピリミジン−４−イルオキシ）−インドール−１−カルボン酸（５−シクロプロピル−イソキサゾール−３−イル）−アミド；
５−（５，６，７，８−テトラヒドロ−ピリド[３，４−ｄ]ピリミジン−４−イルオキシ）−インドール−１−カルボン酸[５−（１−メチル−シクロプロピル）−２Ｈ−ピラゾール−３−イル]−アミド；
１−（２−クロロ−４−（（６，７−ジメトキシキノリン−４−イル）オキシ）フェニル）−３−（５−メチルイソキサゾール−３−イル）ウレア；および
６−（６−ヒドロキシメチル−ピリミジン−４−イルオキシ）−ナフタレン−１−カルボン酸（３−トリフルオロメチル−フェニル）−アミド、
またはそれらの薬学的に許容される塩
からなる群から選択される、前記医薬組成物。
【請求項４】
疾患が加齢黄斑変性症、網膜静脈閉塞、糖尿病網膜症、黄斑浮腫または糖尿病性黄斑浮腫である請求項１〜３のいずれかに記載の医薬組成物。
【請求項５】
連続的な投与が６、７、８または９日間あけて行われる請求項１〜４のいずれかに記載の医薬組成物。
【請求項６】
連続的な投与が７日間あけて行われる請求項１〜５のいずれかに記載の医薬組成物。
【請求項７】
ＶＥＧＦ−Ｒ２阻害剤が５−（（Ｓ）−６−メチル−５，６，７，８−テトラヒドロ−ピリド[３，４−ｄ]ピリミジン−４−イルオキシ）−インドール−１−カルボン酸[５−（１−メチル−シクロプロピル）−２Ｈ−ピラゾール−３−イル]−アミドまたはその薬学的に許容される塩である請求項１〜６のいずれかに記載の医薬組成物。
【請求項８】
ＶＥＧＦ−Ｒ２阻害剤が１−（２−クロロ−４−（（６，７−ジメトキシキノリン−４−イル）オキシ）フェニル）−３−（５−メチルイソキサゾール−３−イル）ウレアまたはその薬学的に許容される塩である請求項１〜６のいずれかに記載の医薬組成物。
【請求項９】
ＶＥＧＦ−Ｒ２阻害剤が５−[[４−[（２，３−ジメチル−２Ｈ−インダゾール−６−イル）メチルアミノ]−２−ピリミジニル]アミノ]−２−メチルベンゾルスルホンアミドまたはその薬学的に許容される塩である請求項１〜６のいずれかに記載の医薬組成物。
【請求項１０】
患者がヒトである請求項１〜９のいずれかに記載の医薬組成物。
【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
下式
【化１】
2013540756.tif 000001
（式中、Ｒ１、Ｒ２およびＲ３は、Ｈ、ＯＨ、Ｆ、Ｃｌ、Ｂｒ、Ｉ、Ｏ−Ｒおよび１〜４個の間の炭素原子を有する置換または非置換の低級アルキル基からなる群から独立に選択され、前記アルキル基は、１つまたは複数のヒドロキシル基またはハロゲン化物基で置換されていてもよく、
Ｒは、Ｈまたは１〜４個の間の炭素原子を有する低級アルキル基であり、
Ｗは、Ｈまたは下式
【化２】
2013540756.tif 000002
を有する群から誘導された成分であり、
リンカーは、ポリエチレングリコールまたは約２個〜約１２個の間の炭素原子を有する、置換または非置換の脂肪族基から誘導される）
を有する化合物。
【請求項２】
下式（ＩＸ）
【化３】
2013540756.tif 000003
を有する化合物。
【請求項３】
請求項１又は２に記載の化合物を含む少なくとも１つのユニットを含むポリマー。
【請求項４】
請求項１〜３のいずれか１項に記載のポリマーを含むフィルムコーティング。
【請求項５】
請求項３に記載のポリマーを含むコーティングを含む医療デバイス。
【請求項６】
請求項３に記載のポリマーを含む粘性溶液。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
対象者における皮膚の老化または皮膚の欠陥を予防、緩和または撤回するための組成物であって、当該組成物が、局所適用のために処方されており、第１の活性成分として不溶性酸化銅を含有し、該不溶性酸化銅が約0.15 %〜約0.75% w/wの間の濃度で存在する、組成物。
【請求項２】
前記不溶性酸化銅が約0.15 %〜約0.5 % w/wの間の濃度で存在する、請求項１記載の組成物。
【請求項３】
前記不溶性酸化銅が約0.15 %〜約0.3 % w/wの間の濃度で存在する、請求項１記載の組成物。
【請求項４】
前記不溶性酸化銅が約0.20 %〜約0.25 % w/wの間の濃度で存在する、請求項１記載の組成物。
【請求項５】
前記酸化銅が酸化第二銅である、請求項１記載の組成物。
【請求項６】
前記酸化銅が酸化第一銅である、請求項１記載の組成物。
【請求項７】
10ミクロン未満のサイズの酸化銅粒子を含有する懸濁物である、請求項１記載の組成物。
【請求項８】
前記酸化銅がカプセル化されている、請求項１または７記載の組成物。
【請求項９】
前記酸化銅が、アクリル、セルロースまたはそれらの組み合わせを含有するシェル内にカプセル化されている、請求項８記載の組成物。
【請求項１０】
粉末、クリーム、液体、スプレー、ゲル、フォーム、軟膏、オイルまたはマスクである、請求項１記載の組成物。
【請求項１１】
さらに皮膚治療剤を含有し、該皮膚治療剤が前記不溶性酸化銅と相乗作用する、請求項１記載の組成物。
【請求項１２】
前記皮膚治療剤が、リポキシゲナーゼ阻害剤、ブラジキニン阻害剤、プロスタグランジンおよびそれらの誘導体、プロスタグランジン受容体作動薬または拮抗薬、非プロスタン酸プロスタグランジンアナログ、シクロスポリンおよびそれらのアナログ、抗菌薬、抗炎症薬、レチノイド、エストラジオール、プロテインキナーゼＣ活性化剤、2 5 グリコシダーゼ阻害剤、グリコサミノグリカナーゼ阻害剤、プロテオグリカナーゼ阻害剤、エストロゲン作動薬および拮抗薬、シュードプテリン、ビタミン、レチノイン酸、かゆみ止め薬、抗アンドロゲン剤、5-レダクターゼのステロイドまたは非ステロイド阻害剤、またはそれらの混合物を含有する、請求項１１記載の組成物。
【請求項１３】
対象者における皮膚の老化または皮膚の欠陥を予防、緩和または撤回するための組成物であって、当該組成物が、局所適用のために処方されており、第１の活性成分として不溶性酸化銅を含有し、該不溶性酸化銅が約0.5〜約10ミクロンの間のサイズの範囲の粒子として存在する、組成物。
【請求項１４】
前記酸化銅が酸化第二銅である、請求項１３記載の組成物。
【請求項１５】
前記酸化銅が酸化第一銅である、請求項１３記載の組成物。
【請求項１６】
約0.5〜約10ミクロンの間のサイズの酸化銅粒子を含有する懸濁物である、請求項１３記載の組成物。
【請求項１７】
粉末、クリーム、液体、スプレー、ゲル、フォーム、軟膏、オイルまたはマスクである、請求項１３記載の組成物。
【請求項１８】
前記酸化銅がカプセル化されている、請求項１３記載の組成物。
【請求項１９】
さらに皮膚治療剤を含有し、該皮膚治療剤が前記不溶性酸化銅と相乗作用する、請求項１３記載の組成物。
【請求項２０】
前記皮膚治療剤が、リポキシゲナーゼ阻害剤、ブラジキニン阻害剤、プロスタグランジンおよびそれらの誘導体、プロスタグランジン受容体作動薬または拮抗薬、非プロスタン酸プロスタグランジンアナログ、シクロスポリンおよびそれらのアナログ、抗菌薬、抗炎症薬、レチノイド、エストラジオール、プロテインキナーゼＣ活性化剤、2 5 グリコシダーゼ阻害剤、グリコサミノグリカナーゼ阻害剤、プロテオグリカナーゼ阻害剤、エストロゲン作動薬および拮抗薬、シュードプテリン、ビタミン、レチノイン酸、かゆみ止め薬、抗アンドロゲン剤、5-レダクターゼのステロイドまたは非ステロイド阻害剤、またはそれらの混合物を含有する、請求項１９記載の組成物。
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
組成物であって、
ａ）ペンフルフェンおよびその塩または酸付加化合物、
ならびに
ｂ）以下の群から選択される少なくとも１種の化合物：
フェノール類、ホウ素化合物、式（ＩＩ）の化合物、
（（Ｒ１Ｒ２Ｒ３Ｒ４）Ｎ）ｎＸ （ＩＩ）
［式中、
Ｒ１とＲ２とは、同一であっても異なっていてもよく、且つ互いに独立して、Ｃ１〜Ｃ６−アルキルを表し、
Ｒ３とＲ４とは、同一であっても異なっていてもよく、且つ互いに独立して、Ｃ６〜Ｃ２２−アルキル、Ｃ６〜Ｃ２２−アルケニル、Ｃ６〜Ｃ２４−アリール、Ｃ５〜Ｃ２０−シクロアルキル、および式（ＩＶ）の基からなる群より選択され、
−［ＣＨ２−ＣＨ２−Ｏ］ｚ−ＣＨ２−ＣＨ２−ＯＨ （ＩＶ）
［式中、ｚ＝１、２、３、４、５、６、７、８、９または１０である］、
Ｘは、ｎの電荷を有するアニオンを表し、
ｎは、０よりも大きい整数である］
イソチアゾリノン類、アルキルカルバミン酸３−ヨード−２−プロピニル、シクロアルキルカルバミン酸３−ヨード−２−プロピニル、アリールカルバミン酸３−ヨード−２−プロピニル、ならびに式（ＩＩＩ）の化合物
【化１】
2013540786.tif 000001
［式中、
Ｒ５は、Ｃ８〜Ｃ１８−アルキル、Ｃ８〜Ｃ１８−アルケニル、またはＣ５〜Ｃ２０−シクロアルキルを表し、
ｍとｙは、同一であっても異なっていてもよく、１、２、３、４、５または６の数を表す］およびそれらの酸付加化合物、
を含む組成物。
【請求項２】
微生物による攻撃および／または破壊に対して、産業材料を保護するための、請求項１に記載の組成物の使用。
【請求項３】
ａ）ペンフルフェンおよびその塩または酸付加化合物、
ならびに
ｂ）以下の群から選択される少なくとも１種の化合物：
フェノール類、ホウ素化合物、式（ＩＩ）の化合物、
（（Ｒ１Ｒ２Ｒ３Ｒ４）Ｎ）ｎＸ （ＩＩ）
［式中、
Ｒ１とＲ２とは、同一であっても異なっていてもよく、且つ互いに独立して、Ｃ１〜Ｃ６−アルキルを表し、
Ｒ３とＲ４とは、同一であっても異なっていてもよく、且つ互いに独立して、Ｃ６〜Ｃ２２−アルキル、Ｃ６〜Ｃ２２−アルケニル、Ｃ６〜Ｃ２４−アリール、Ｃ５〜Ｃ２０−シクロアルキル、および式（ＩＶ）の基からなる群より選択され、
−［ＣＨ２−ＣＨ２−Ｏ］ｚ−ＣＨ２−ＣＨ２−ＯＨ （ＩＶ）
［式中、ｚ＝１、２、３、４、５、６、７、８、９または１０である］、
Ｘは、ｎの電荷を有するアニオンを表し、
ｎは、０よりも大きい整数である］
イソチアゾリノン類、アルキルカルバミン酸３−ヨード−２−プロピニル、シクロアルキルカルバミン酸３−ヨード−２−プロピニル、アリールカルバミン酸３−ヨード−２−プロピニル、ならびに式（ＩＩＩ）の化合物
【化２】
2013540786.tif 000002
［式中、
Ｒ５は、Ｃ８〜Ｃ１８−アルキル、Ｃ８〜Ｃ１８−アルケニル、またはＣ５〜Ｃ２０−シクロアルキルを表し、
ｍとｙは、同一であっても異なっていてもよく、１、２、３、４、５または６の数を表す］およびそれらの酸付加化合物、
を含む、産業材料、特に木材、木製品、または木材−プラスチック複合材料。
【請求項４】
微生物による攻撃および／または破壊に対して産業材料を保護するための方法であって、
ａ）ペンフルフェンおよびその塩または酸付加化合物、
ならびに
ｂ）以下の群から選択される少なくとも１種の化合物：
フェノール類、ホウ素化合物、式（ＩＩ）の化合物、
（（Ｒ１Ｒ２Ｒ３Ｒ４）Ｎ）ｎＸ （ＩＩ）
［式中、
Ｒ１とＲ２とは、同一であっても異なっていてもよく、且つ互いに独立して、Ｃ１〜Ｃ６−アルキルを表し、
Ｒ３とＲ４とは、同一であっても異なっていてもよく、且つ互いに独立して、Ｃ６〜Ｃ２２−アルキル、Ｃ６〜Ｃ２２−アルケニル、Ｃ６〜Ｃ２４−アリール、Ｃ５〜Ｃ２０−シクロアルキル、および式（ＩＶ）の基からなる群より選択され、
−［ＣＨ２−ＣＨ２−Ｏ］ｚ−ＣＨ２−ＣＨ２−ＯＨ （ＩＶ）
［式中、ｚ＝１、２、３、４、５、６、７、８、９または１０である］、
Ｘは、ｎの電荷を有するアニオンを表し、
ｎは、０よりも大きい整数である］
イソチアゾリノン類、アルキルカルバミン酸３−ヨード−２−プロピニル、シクロアルキルカルバミン酸３−ヨード−２−プロピニル、アリールカルバミン酸３−ヨード−２−プロピニル、ならびに式（ＩＩＩ）の化合物
【化３】
2013540786.tif 000003
［式中、
Ｒ５は、Ｃ８〜Ｃ１８−アルキル、Ｃ８〜Ｃ１８−アルケニル、またはＣ５〜Ｃ２０−シクロアルキルを表し、
ｍとｙは、同一であっても異なっていてもよく、１、２、３、４、５または６の数を表す］およびそれらの酸付加化合物
含む、少なくとも１種の組成物を、前記微生物またはその生息地に作用させることを特徴とする、方法。
【手続補正書】
【提出日】平成26年7月29日(2014.7.29)
【手続補正１】
【補正対象書類名】特許請求の範囲
【補正対象項目名】請求項１５
【補正方法】変更
【補正の内容】
【請求項１５】
アミノオキシ官能化ｃ−Ｍｅｔ結合環状ペプチドを使用する、請求項１４記載の方法。
【手続補正書】
【提出日】平成26年8月19日(2014.8.19)
【手続補正１】
【補正対象書類名】特許請求の範囲
【補正対象項目名】請求項１６
【補正方法】変更
【補正の内容】
【請求項１６】
請求項１から１１までのいずれか１項に記載の粒子の発生のための装置であって、前記装置は、
（１）実質的に乾燥した吸入可能な粒子のエーロゾル化が可能なエーロゾル化ユニットと、
その際、該エーロゾル化ユニットは出口を有し、適宜、入口を介してキャリヤーガスの源と流体流れ接続されている、
（２）入口と、加湿室と、出口とを含む加湿器と、
その際、前記の入口と出口とは、前記の加湿室を介して互いに流体流れ接続されており、前記の加湿室は、水蒸気の源を含んでいる、
（３）入口と少なくとも１つの出口とを有する患者インターフェイス、
その際、前記の患者インターフェイスは、前記の少なくとも１つの出口を介して、患者の気道へと加湿された粒子のエーロゾルの吸入による投与を可能にする、
（４）エーロゾル化ユニットの出口と、加湿器の入口とを接続する第一の導管と、
（５）加湿器の出口と、患者インターフェイスの入口とを接続する第二の導管と、
その際、前記の第二の導管は、前記の第二のエーロゾルの温度及び／又は圧力の調整を可能にする
を含む前記装置。
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
内面（１１２）と気体流入口（630）と気体流出口（640）とを有し、気体を含むように構成されたチャンバ（４１０，６１０，７１０，８１０，９１０，１０１０，１１１０，１２１０）；
3.5×106Paを超える第1圧力で第1液体を供給するように構成された第1液体源（１４０）；並びに、
前記第1液体源及び前記チャンバと結合する第1注入装置（１２０）；
を有し、
前記第1注入装置は、前記第1液体源から前記第1液体を受け取り、かつ、前記の受け取った第1液体を前記チャンバへ注入するように構成され、
前記第1注入装置は第1ノズルを有し、
前記第1ノズルは、面積6.45mm2未満の第1サイズを有する第1オリフィス（３２０）と、液滴の噴霧を生成するように構成された第1形状とを有し、
前記第1注入装置と前記第1圧力は、前記第1液体が前記第1オリフィスから前記チャンバへ噴霧される際、前記第1液体から第1噴霧液（１５０）を生成するように構成されている、
装置。
【請求項２】
前記気体流出口から前記気体流入口を分離する内壁（４２０）をさらに有し、
前記内壁は、該内壁を貫通する第1ギャップ（４３０）を有し、
当該第1ギャップ（４３０）は、第１ギャップ幅（４４０）を有し、
前記第1注入装置は、前記第１ギャップから１５ｃｍ未満の第１距離（４５０）をもって配置され、
前記第１注入装置と前記第１液体源とは、前記第１噴霧液が、前記第１ギャップで測定して、前記第１ギャップ幅の±５％の範囲内である第１噴霧幅（４７０）を有するように構成され、
前記第１注入装置は、さらに、前記第1噴霧液を、前記第1ギャップを介して注入するように構成される、
請求項1に記載の装置。
【請求項３】
前記第１ノズルは、前記の受け取られた第1液体を、扇形の第1噴霧液にするように構成された第１形状を有し、前記第１噴霧液は、前記内壁において前記第1噴霧幅の１０倍より大きい第1噴霧高さを有し、かつ、
前記第1ギャップは、前記第１ギャップ幅の１０倍よりも大きい第１ギャップ高さ（５１０）を有する第1ギャップ形状を有し、
前記第１注入装置は、前記第１噴霧幅を前記第１ギャップ幅に合わせ、前記第１噴霧高さを前記第１ギャップ高さに合わせるように構成されている、
請求項２に記載の装置。
【請求項４】
前記第1ノズルから前記第1ギャップへの前記第1距離は、前記第1ギャップ高さの2倍よりも小さく、前記第１ギャップ高さの１０％よりも大きい、
請求項３に記載の装置。
【請求項５】
前記第1圧力が、6.9×106Paよりも大きい、請求項１から４のいずれかに記載の装置。
【請求項６】
前記第1オリフィスは、長軸の長さが短軸の長さの少なくとも3倍である楕円で、かつ、
前記長軸の長さは1.27mm未満である、
請求項１から５のいずれかに記載の装置。
【請求項７】
前記内壁の少なくとも一部が、ある軸について円筒形で、かつ、
前記第1注入装置はさらに、前記第１噴霧高さが前記軸に平行に配向するように構成される、
請求項３から６のいずれかに記載の装置。
【請求項８】
前記内壁を貫通する第２ギャップ（４３２）；
第2圧力で第2液体を供給するように構成された第2液体源；並びに、
前記第2液体源及び前記チャンバ（８１０、９１０、１０１０、１１１０）と結合する第2注入装置（１２２）；
をさらに有し、
前記第2注入装置は、前記第2液体源から前記第2液体を受け取り、かつ、前記の受け取った第2液体を前記チャンバへ注入するように構成され、
前記第2注入装置は第2ノズルを有し、
前記第2ノズルは、第2サイズを有する第2オリフィスと第2形状を有し、
前記第2ノズルと第2圧力は、前記第2液体が前記第2オリフィスから前記チャンバへ噴霧される際、前記第2液体から第2噴霧液を生成するように構成され、
前記気体流入口から前記気体流出口への気体の流れに関して、前記第１注入装置は、前記第１ギャップを介して下流方向に前記第１噴霧液を注入するように構成され、かつ、前記第２注入装置は、前記第２ギャップを介して上流方向に前記第２噴霧液を注入するように構成される、 
請求項２から７のいずれかに記載の装置。
【請求項９】
前記第１ギャップと前記第２ギャップとは同一のギャップである、
請求項８に記載の装置。
【請求項１０】
少なくとも前記第1注入装置と第2注入装置に結合して、前記第1噴霧液と第2噴霧液のうちの少なくとも1つを制御するように構成される制御装置（８７０）；並びに、
前記制御装置（８７０）と結合し、気体流量、液体流量、圧力、及び、粒子濃度のうちの少なくとも1つを検知するように構成されるセンサ（８８０）；
をさらに有し、
前記制御装置（８７０）はさらに、前記センサからの入力を受け取り、かつ、前記入力に応じて前記第1噴霧液と第2噴霧液のうちの少なくとも1つを制御するように構成される、
請求項２から９のいずれかに記載の装置。
【請求項１１】
前記内壁が、ある軸について円筒形で、かつ、
前記第1注入装置と第2注入装置の各々は、扇形の噴霧液を生成するように構成される扇形ノズルを有し、前記扇形の噴霧液は、前記軸に平行に配向する噴霧高さ（５２０）を有する、
請求項８又は９に記載の装置。
【請求項１２】
前記内壁を貫通する少なくとも１つのギャップは、対応する前記ギャップ幅の少なくとも２倍大きいギャップ深さ（４８０）を有する、
請求項２から１１のいずれかに記載の装置。
【請求項１３】
前記内壁は、内側チャンバを形成し、前記第１及び第２ギャップは異なるギャップであり、前記第１及び第２ギャップの一方は、前記内側チャンバと前記気体流入口との間で液体をやり取りするのみであり、前記第１及び第２ギャップの他方は、前記内側チャンバと前記気体流出口との間で液体をやり取りするのみである、
請求項８、１０、１１及び１２のいずれかに記載の装置。
【請求項１４】
液体から気体へ運動量を移行させる方法であって、
請求項１から１３のいずれかに記載の装置を準備することと、
前記気体流入口を介して前記チャンバの内部に気体を供給することと、
前記第１液体が前記第１オリフィスから前記チャンバへ噴霧される際、前記第１液体から第１噴霧液を生成させることと、を含み、
前記第１噴霧液は、前記第１液体の液滴を含み、当該液滴は、60.8m/sよりも大きい第１噴霧速度を有し、前記液滴の９５％を超える部分は、前記チャンバの内面と接する前に、0.608m/s未満である終噴霧速度に減速する、
方法。
【請求項１５】
前記第1噴霧速度が122m/sよりも大きく、かつ、前記終噴霧速度が0.03m/s未満である、請求項１４に記載の方法。